(57)【要約】【課題】プラグを容易に回動できるとともに栓刃挿入孔から筐体内に水や埃が入るのを防ぐことができる抜止形のテーブルタップを提供する。【解決手段】プラグ差込部Ｕは、栓刃挿入孔７ａ〜７ｃを有し且つ筐体１の窓孔１２ａ〜１２ｃに回動自在に取り付けられる回動部７１と、回動部７１の筐体１外側における栓刃挿入孔７ａ〜７ｃの周縁部に一体成形されて該栓刃挿入孔７ａ〜７ｃを囲繞するとともにプラグ差込部Ｕと窓孔１２ａ〜１２ｃの縁部との間に介在する外側パッキン部７３とを備え、３極プラグＰの栓刃をプラグ差込部Ｕの栓刃挿入孔７ａ〜７ｃに差し込んで回動する際に、３極プラグＰの回動に伴って回動部７１及び外側パッキン部７３も同時に回動する。【選択図】図１
2008135233.tif 000002
【特許請求の範囲】
【請求項１】
一面に一乃至複数の開口部を有する筐体と、筐体の開口部に取り付けられて一対の電圧極の栓刃及び接地極の栓刃がそれぞれ挿入される栓刃挿入孔を有する一乃至複数のプラグ差込部と、筐体内に収納されて一対の電圧極の栓刃及び接地極の栓刃がそれぞれ接触接続される刃受部とを備え、プラグをプラグ差込部に差し込んだ際にプラグを所定の方向に回動することでプラグの抜け止めを行なう抜止形のテーブルタップであって、プラグ差込部は、栓刃挿入孔を有し且つ筐体の開口部に回動自在に取り付けられる回動部と、回動部の筐体外側における栓刃挿入孔の周縁部に一体成形され、開口部内周に密着し且つ栓刃挿入孔を囲繞するとともに、一対の電圧極の栓刃及び接地極の栓刃をそれぞれ栓刃挿入孔を介して刃受部に接触接続した際にプラグにおける筐体との対向面と密着する外側パッキン部とを備えたことを特徴とするテーブルタップ。
【請求項２】
前記外側パッキン部に囲繞された領域を電圧極の栓刃が挿入される栓刃挿入孔を有する領域と接地極の栓刃が挿入される栓刃挿入孔を有する領域とに分離し且つ電圧極の栓刃及び接地極の栓刃をそれぞれ栓刃挿入孔を介して刃受部に接触接続した際にプラグにおける筐体との対向面と密着する分離パッキン部を設けたことを特徴とする請求項１記載のテーブルタップ。
【発明の詳細な説明】
【技術分野】
【０００１】
本発明は、テーブルタップに関する。
【背景技術】
【０００２】
従来から、テーブルタップの栓刃挿入孔から内部へのゴミ等の異物の侵入や、内部の刃受部等の充電部に触れることによる感電等を防止するために、テーブルタップにプラグを接続していない場合に栓刃挿入孔を遮蔽する扉を備えたテーブルタップが提供されており、例えば特許文献１に開示されている。この種のテーブルタップは、栓刃挿入孔を有するカバー及びボディからなる筐体を備え、その内部には、栓刃挿入孔から挿入されたプラグの栓刃を受ける複数の刃受部を各々有する２つの端子板と、端子板を納装する合成樹脂製の中ボディとが収納されるとともに、プラグの栓刃の挿抜に応じて栓刃挿入孔を開閉する挿入孔開閉手段が収納されている。ここにおいて、挿入孔開閉手段は、栓刃挿入孔と刃受部との間に、プラグの挿入方向に対して交差する方向にスライド移動自在に介装された扉部と、扉部が栓刃挿入孔を閉じる位置に移動するように扉部を付勢するばね部材とからなり、この扉部は、栓刃を栓刃挿入孔に挿入していない時には、ばね部材で付勢されて栓刃挿入孔を閉じる位置に移動し、栓刃を栓刃挿入孔に挿入したときには、ばね部材の付勢に逆らって栓刃挿入孔を開く位置に移動するように構成されている。
【０００３】
しかし、上記のテーブルタップでは、ゴミ等の比較的大きい異物の侵入は防止できていたが、プラグの挿入方向に対して交差する方向にスライドする扉部で栓刃挿入孔を塞ぐだけの構成であるために、水や比較的小さい埃や塵等は栓刃挿入孔の縁部と扉部との隙間から筐体内に入ってしまい、トラッキングや短絡等の原因となるという問題があった。そこで、本出願人は、栓刃挿入孔を囲繞する防水パッキンを設け、該防水パッキンとプラグの栓刃が突出する面とを密着させることで水や埃が栓刃挿入孔から筐体内部に侵入するのを防ぐテーブルタップを別途提案している。
【特許文献１】特開２００４−２２１０３３号公報
【発明の開示】
【発明が解決しようとする課題】
【０００４】
しかしながら、上記の防水パッキンを抜止形のテーブルタップに用いた場合、図６（ａ），（ｂ）に示すように、プラグＰの抜け止めを行なうためにプラグＰを回動する際に防水パッキン１０１とプラグＰとが接触しているので、プラグＰを回動させにくく、更には防水パッキン１０１がプラグＰと擦れることで破損するという問題があった。また、プラグＰを回動すると防水パッキン１０１とプラグＰとの間に隙間が生じてしまい、該隙間からプラグ差込部１００の栓刃挿入孔１００ａ〜１００ｃに水や埃が侵入してしまう虞があった。
【０００５】
本発明は、上記の点に鑑みて為されたもので、プラグを容易に回動できるとともに栓刃挿入孔から筐体内に水や埃が入るのを防ぐことができる抜止形のテーブルタップを提供することを目的とする。
【課題を解決するための手段】
【０００６】
請求項１の発明は、上記目的を達成するために、一面に一乃至複数の開口部を有する筐体と、筐体の開口部に取り付けられて一対の電圧極の栓刃及び接地極の栓刃がそれぞれ挿入される栓刃挿入孔を有する一乃至複数のプラグ差込部と、筐体内に収納されて一対の電圧極の栓刃及び接地極の栓刃がそれぞれ接触接続される刃受部とを備え、プラグをプラグ差込部に差し込んだ際にプラグを所定の方向に回動することでプラグの抜け止めを行なう抜止形のテーブルタップであって、プラグ差込部は、栓刃挿入孔を有し且つ筐体の開口部に回動自在に取り付けられる回動部と、回動部の筐体外側における栓刃挿入孔の周縁部に一体成形され、開口部内周に密着し且つ栓刃挿入孔を囲繞するとともに、一対の電圧極の栓刃及び接地極の栓刃をそれぞれ栓刃挿入孔を介して刃受部に接触接続した際にプラグにおける筐体との対向面と密着する外側パッキン部とを備えたことを特徴とする。
【０００７】
請求項２の発明は、請求項１の発明において、外側パッキン部に囲繞された領域を電圧極の栓刃が挿入される栓刃挿入孔を有する領域と接地極の栓刃が挿入される栓刃挿入孔を有する領域とに分離し且つ電圧極の栓刃及び接地極の栓刃をそれぞれ栓刃挿入孔を介して刃受部に接触接続した際にプラグにおける筐体との対向面と密着する分離パッキン部を設けたことを特徴とする。
【発明の効果】
【０００８】
請求項１の発明によれば、接地極を有する３極のプラグをプラグ差込部に差し込んで回動する際に、プラグの回動に伴って回動部及び回動部と一体成形された外側パッキン部も同時に回動することでプラグと外側パッキン部との相対的な位置関係が変化することがないので、プラグと外側パッキン部との間に隙間が生じるのを防ぐことができ、外側パッキン部とプラグにおける筐体との対向面との密着を維持することでプラグの栓刃を水や埃から保護して、トラッキングや短絡等が生じるのを防ぐことができる。また、プラグを回動する際にプラグが外側パッキン部に擦れることがないので、プラグと外側パッキン部とが擦れることによる外側パッキン部の破損を防ぐとともにプラグを容易に回動することができる。
【０００９】
請求項２の発明によれば、電圧極の栓刃が挿入される栓刃挿入孔を有する領域が外側パッキン部及び分離パッキン部に囲繞されるので、接地極を有さない２極のプラグを差し込む場合にも、外側パッキン部及び分離パッキン部がプラグにおける筐体との対向面と密着することでプラグと筐体との間の隙間を無くすことができ、プラグの栓刃を水や埃から保護することができる。
【発明を実施するための最良の形態】
【００１０】
以下、本発明の実施形態について図面を用いて説明する。但し、以下の説明では、図１における上下を上下方向と定めるものとする。本実施形態は、図１に示すように、接地極を有する３極プラグＰの電圧極の一対の栓刃（図示せず）がそれぞれ挿入される栓刃挿入孔７ａ，７ｂ及び３極プラグＰの接地極の栓刃（図示せず）が挿入される栓刃挿入孔７ｃを１組とした３組のプラグ差込部Ｕを備える筐体１と、筐体１内に収納されて栓刃挿入孔７ａ〜７ｃに挿入された３極プラグＰの電圧極の一対の栓刃及び接地極の栓刃がそれぞれ接触接続される刃受部２０〜２２，２５〜２７，３０〜３２とを備える。
【００１１】
筐体１は、図１及び図２（ａ）〜（ｆ）に示すように、上面が開口した長尺箱状のボディ１０と、ボディ１０の上面開口を覆うカバー１１とで構成されており、これらボディ１０とカバー１１は、何れも例えば塩化ビニル等の熱可塑性樹脂材料を用いた樹脂成形品である。
【００１２】
ボディ１０は、図１に示すように、上面が開口した長尺箱状のものであり、その長手方向一端側（図１における左側）の側面には、プラグ差込部Ｕ用の略半円形状の切欠部１０ａが形成されており、該切欠部１０ａ近傍には後述するプラグ差込部Ｕの押さえ板７０の下半分が嵌合する嵌合溝１０ｈが設けられている。また、ボディ１０の長手方向他端側（図１における右側）の側面には、電源コード８挿通用の略矩形状の切欠部１０ｂが形成されており、この切欠部１０ｂの近傍には、後述するブッシング９固定用の突部（図示せず）が設けられている。加えて、ボディ１０の底部の上面には、ボディ１０とカバー１１とを結合するための組立ねじＳが挿通されるねじ挿通孔１０ｄを備える略円筒状のボス部１０ｃが、ボディ１０の長手方向に沿って４つ一体に突設されている。また、ボディ１０の底部の上面には、後述する接地極用の端子板３を支持するための一対のピン１０ｇが長手方向に沿って一体に突設されている。更に、ボディ１０の底部の上面における長手方向他端側には、電源コード８の張力止め用のリブ１０ｅが一体に突設されている。また、ボディ１０の側壁部の上端面には、全面に亘ってその幅方向の中央部に突条１０ｆが一体に突設されている。
【００１３】
カバー１１は、図１，２に示すように、ボディ１０の上面開口を閉塞するようにしてボディ１０に取り付けられるものであり、下面が開口した長尺箱状に形成されている。このカバー１１の長手方向一端側（図１における左側）の側面には、ボディ１０の切欠部１０ａとともにプラグ差込部Ｕ用の窓孔１２ａを構成する略半円形状の切欠部１１ａが形成されており、該切欠部１１ａ近傍には後述するプラグ差込部Ｕの押さえ板７０の上半分が嵌合する嵌合溝１１ｈが設けられている。また、カバー１１の上壁部には、プラグ差込部Ｕ用の略円形状の窓孔１２ｂ，１２ｃが、カバー１１の長手方向に沿って２つ貫設されている。更に、カバー１１の長手方向他端側（図１における右側）の側面には、ボディ１０の切欠部１０ｂとともに電源コード８用の挿通孔１３を構成する略矩形状の切欠部１１ｂが形成されており、この切欠部の近傍には、ボディ１０の場合と同様に、ブッシング９固定用の突部（図示せず）が設けられている。
【００１４】
一方、カバー１１の上壁部の下面には、ボディ１０のボス部１０ｃと相対する位置に略円筒状のボス部１１ｃが一体に突設されており、各ボス部１１ｃには、組立ねじＳ用のねじ孔１１ｄが、ボディ１０のボス部１０ｃのねじ挿通孔１０ｄとそれぞれ連通するようにして形成されている。加えて、カバー１１の上壁部の下面における長手方向他端側には、上記のリブ１０ｅとで電源コード８を狭持して電源コード８の張力止めを行うリブ１１ｅが一体に突設されている。更に、カバー１１の側壁部の下端面には、図２（ｆ）に示すように、上記ボディ１０の突条１０ｆが嵌入される溝部１１ｆが凹設されており、ボディ１０とカバー１１とを組立ねじＳを用いて結合した際には、突条１０ｆが溝部１１ｆの内面に密着することによって、筐体１の防水性及び防塵性を高めている。
【００１５】
また、カバー１１の上壁部の下面における窓孔１２ｂ，１２ｃ周縁の四隅には、各々後述するプラグ差込部Ｕの押さえ板７０を固定するための固定爪１１ｇが下方向に向かって突設されている。固定爪１１ｇの下端部は、何れもカバー１１の幅方向内側に向かって突出しており、内側に向かうにつれて上方へと傾斜する傾斜面を有している。而して、各固定爪１１ｇ先端部の傾斜面にプラグ差込部Ｕの押さえ板７０を当接させて、押さえ板７０を上方に押圧することで押さえ板７０の四隅が傾斜面に案内されてカバー１１の上壁部と固定爪１１ｇとの間で挟持される（図４（ｃ）参照）。
【００１６】
ブッシング９は、筐体１から引き出された電源コード８の外周を覆って内部の芯線８ａ，８ｂ及びアース線（図示せず）の屈曲による断線を防止するとともに、電源コード８用の挿通孔１３での防水性及び防塵性を向上させるためのもので、図１に示すように、電源コード８を囲繞する筒部９０と、筒部９０の一端側に設けられた鍔部９１とを一体に備えたゴム等の樹脂成形品からなる。また、ブッシング９の筒部９０の内周面には、電源コード８と密着する突起部（図示せず）が複数周設されており、鍔部９１の外周面には、ボディ１０の突部及びカバー１１の突部のそれぞれと凹凸嵌合する凹部９１ａが設けられている。
【００１７】
筐体１内部には、電圧極用の端子板２Ａ，２Ｂ及び接地極用の端子板３を固定支持するための中ボディ１４が収納されている。中ボディ１４は、樹脂成形品であり、図１に示すように、互いに対向する長尺の第一の板状部材１４ａ、第二の板状部材１４ｂと、各板状部材１４ａ，１４ｂの幅方向略中央同士を長手方向に亘って連結する長尺の第三の板状部材１４ｃとから成る。第三の板状部材１４ｃの上面には、端子板２Ａを固定するための３つ（図示では２つ）の端子板２Ａ用リブ１４ｄと、端子板２Ｂを固定するための３つの端子板２Ｂ用リブ（図示せず）と、端子板２Ａ，２Ｂを各々絶縁隔離するための２つの隔離壁１４ｅとが一体に突設されている。また、第三の板状部材１４ｃの長手方向一端側の隔離壁１４ｅの下面には、後述する接地極用の端子板３に設けられた孔部３３ａに嵌合するリブ（図示せず）が一体に突設されている。更に、第三の板状部材１４ｃには、長手方向に沿って２つの孔部１４ｆが貫設されており、長手方向一端側の孔部１４ｆには、後述する第七の刃受部３０が挿通され、長手方向略中央の孔部１４ｆには、ボディ１０の長手方向略中央のボス部１０ｃ及び後述する第八の刃受部３１が挿通される。
【００１８】
端子板２Ａは、導電性を有する長尺の金属板が折曲されて成り、図１に示すように、窓孔１２ａに対応する一対の刃受ばね２０ａを有する第一の刃受部２０と、窓孔１２ｂに対応する一対の刃受ばね２１ａを有する第二の刃受部２１と、窓孔１２ｃに対応する一対の刃受ばね２２ａを有する第三の刃受部２２と、中ボディ１４の端子板２Ａ用リブ１４ｄとそれぞれ凹凸嵌合する３つの孔部２３ａを有する平板部２３と、第三の刃受部２２から長手方向他端側へ延設され電源コード８の芯線８ａをかしめ固定するためのかしめ部２４とを一体に備えている。
【００１９】
端子板２Ｂは、上記端子板２Ａと同様に導電性を有する長尺の金属板が折曲されて成り、図１に示すように、窓孔１２ａに対応する一対の刃受ばね２５ａを有する第四の刃受部２５と、窓孔１２ｂに対応する一対の刃受ばね２６ａを有する第五の刃受部２６と、窓孔１２ｃに対応する一対の刃受ばね２７ａを有する第六の刃受部２７と、中ボディ１４の端子板２Ｂ用リブとそれぞれ凹凸嵌合する３つの孔部２８ａを有する平板部２８と、第六の刃受部２７から長手方向他端側へ延設され電源コード８の芯線８ｂをかしめ固定するためのかしめ部２９とを一体に備えている。
【００２０】
端子板３は、上記端子板２Ａ，２Ｂと同様に導電性を有する長尺の金属板が折曲されて成り、図１に示すように、窓孔１２ａに対応する一対の刃受ばね３０ａを有する第七の刃受部３０と、窓孔１２ｂに対応する一対の刃受ばね３１ａを有する第八の刃受部３１と、窓孔１２ｃに対応する一対の刃受ばね３２ａを有する第九の刃受部３２と、ボディ１０のピン１０ｇ及び中ボディ１４の第三の板状部材１４ｃの長手方向一端側の隔離壁１４ｅの下面に設けられたリブとそれぞれ凹凸嵌合する３つの孔部３３ａを有する平板部３３と、第九の刃受部３２から長手方向他端側へ延設され電源コード８のアース線をかしめ固定するためのかしめ部３４とを一体に備えている。これら端子板２Ａ，２Ｂ，３は電源コード８を介して商用電源（図示せず）と電気的に接続され、端子板２Ａ，２Ｂの刃受部２０〜２２，２５〜２７が電圧極、端子板３の刃受部３０〜３２が接地極となる。
【００２１】
また、刃受ばね２０ａ〜２２ａ，２５ａ〜２７ａ，３０ａ〜３２ａの先端部は何れも略円弧状に形成され、電圧極の刃受ばね２０ａ〜２２ａ，２５ａ〜２７ａの各々何れか一方の内面には、電圧極の一対の栓刃に各々設けられた透孔（図示せず）に係合する係合突起（図示せず）が設けられている。而して、３極プラグＰを栓刃挿入孔７ａ〜７ｃに差し込んだ状態で回動すると、刃受ばね２０ａ〜２２ａ，２５ａ〜２７ａの係合突起と電圧極の栓刃の透孔とが係合し、栓刃の抜け止めが為される。
【００２２】
筐体１には、栓刃挿入孔７ａ〜７ｃを有するプラグ差込部Ｕが各窓孔１２ａ〜１２ｃにそれぞれ対応して計３つ取り付けられており、以下に、プラグ差込部Ｕについて説明する。ただし、プラグ差込部Ｕは図２（ａ），（ｂ）に示すように、筐体１への取り付け位置によって、向きが異なるものであるから、説明の簡略化のために、プラグ差込部Ｕの説明に限り、図２（ａ）の紙面手前側をプラグ差込部Ｕの前方向とし、図２（ａ）の紙面奥側をプラグ差込部Ｕの後方向とし、図２（ａ）の左右をプラグ差込部Ｕの左右方向とする。
【００２３】
プラグ差込部Ｕは、図１に示すように、３極プラグＰの栓刃がそれぞれ挿入される栓刃挿入孔７ａ〜７ｃを前面に有する略円盤状の回動部７１と、該前面に対向する後面が開口した箱状の本体部７２と、窓孔１２ａ〜１２ｃに取り付けられて回動部７１を回動自在に係止する押さえ板７０とから成り、電圧極の栓刃挿通孔７ａ，７ｂを開閉する第一の開閉手段と、接地極の栓刃挿入孔７ｃを開閉する第二の開閉手段とを有する。
【００２４】
本体部７２は、例えば耐トラッキング及び耐熱性に優れるユリア樹脂等の硬質樹脂材料によって後面が開口した箱状に形成された樹脂成形品から成り、図１に示すように、その前面中央部には、筐体１の窓孔１２ａ〜１２ｃから外部に露出する形で配置される略円盤状の回動部７１が一体に形成されている。この回動部７１の前壁部には、栓刃挿入孔７ａ〜７ｃが貫設されており、左右両側壁には、回動部７１の外周に沿って所定の幅を有し且つ後述する押さえ板７０の規制突起７０ｂが移動自在に嵌り込む回動溝７１ａがそれぞれ設けられている（図示では１つ）。また、本体部７２の短手方向の両内側面には、本体部７２の左方から右方に向けて後方へ傾斜する傾斜面を後面側に有するガイドリブ（図示せず）がそれぞれ設けられている。更に、回動部７１の外周縁には、全周に亘って外側に突出する段部７１ｃが設けられている（図４（ｃ）参照）。
【００２５】
回動部７１の筐体１外側における栓刃挿入孔７ａ〜７ｃの周縁部には、該栓刃挿入孔７ａ〜７ｃを囲繞するとともにプラグ差込部Ｕと窓孔１２ａ〜１２ｃの縁部との間に介在する外側パッキン部７３が一体成形されている。外側パッキン部７３は、ゴムやエラストマー等の復元性（弾性）を有する軟質樹脂材料を用いた樹脂成形品から成り、その前端部はプラグ差込部Ｕの前面よりも前方へと突出するとともに、その外形が３極プラグＰにおける栓刃が突設されている面の外形に収まるように形成されている。
【００２６】
このため、栓刃挿入孔７ａ〜７ｃを介して３極プラグＰの栓刃を刃受部に接触接続した際には、３極プラグＰにおける栓刃が突設している面、即ち３極プラグＰにおける筐体１との対向面に外側パッキン部７３の前端部が密着することになる。この時、外側パッキン部７３は上述したように復元性（弾性）を有しているので、プラグ差込部Ｕと３極プラグＰとの間で押し縮められるように変形して、３極プラグＰに多少の傾きや浮き上がり、或いは前記対向面に凹凸があった場合でも、外側パッキン部７３が３極プラグＰに密着することで３極プラグＰと筐体１との隙間を無くすことができ、栓刃を水や埃から保護し、トラッキングや短絡等が生じるのを防ぐことができる。
【００２７】
また、外側パッキン部７３に囲繞された領域を一対の電圧極の栓刃が挿入される栓刃挿入孔７ａ，７ｂを有する領域と接地極の栓刃が挿入される栓刃挿入孔７ｃを有する領域とに分離する分離パッキン部７４が外側パッキン部７３と一体成形されている。
【００２８】
分離パッキン部７４は、その前端部がプラグ差込部Ｕの前面よりも前方へと突出するとともに、外側パッキン部７３と分離パッキン部７４とで囲繞される外形が一般的な接地極を有さない２極プラグ（図示せず）における栓刃（図示せず）が突設している面の外形に収まるように形成されている。
【００２９】
このため、２極プラグの栓刃を栓刃挿入孔７ａ，７ｂを介して刃受部に接触接続した際には、２極プラグにおける栓刃が突設している面、即ち２極プラグにおける筐体１との対向面に外側パッキン部７３及び分離パッキン部７４の前端部が密着することになる。したがって、上述した３極プラグＰを用いる場合と同様に、２極プラグの栓刃を水や埃から保護して、トラッキングや短絡等が生じるのを防ぐことができる。
【００３０】
回動部７１の前壁部の略中央には、図１に示すように略円形状のアンカー孔７１ｂが貫設されており、該アンカー孔７１ｂには外側パッキン部７３と一体に形成された内側パッキン部７５が充填されている。内側パッキン部３２は、図２（ｆ）に示すように、第一の扉部４０により栓刃挿入孔７ａ，７ｂが閉じられた状態で、第一の扉部４０と回動部７１の栓刃挿入孔７ａ，７ｂの縁部との間に介在して栓刃挿入孔７ａ，７ｂから筐体１内に水や埃が侵入することを防止するためのものであり、第一の扉部４０が一対の栓刃挿入孔７ａ，７ｂを閉じた状態では、第一の扉部４０と密着するように構成されている。
【００３１】
尚、上記外側パッキン部７３と、分離パッキン部７４と、内側パッキン部７５とを回動部７１に一体成形することによって、各パッキン部７３〜７５と回動部７１との密着性を高めており、これにより、各パッキン部７３〜７５と本体部７２との間に水や埃等が入ることを防止している。
【００３２】
第一の開閉手段は、回動部７１の栓刃挿入孔７ａ，７ｂから挿入された電圧極の一対の栓刃がそれぞれ挿通される一対の栓刃挿通孔６０ａ，６０ｂを有して本体部７２の後面開口を閉塞する第一の中枠６０と、本体部７２にスライド移動自在に収納されて一対の栓刃挿入孔７ａ，７ｂを開閉する第一の扉部４０と、第一の扉部４０が一対の栓刃挿入孔７ａ，７ｂを閉じる位置に移動するように第一の扉部４０を付勢する第一のばね部材５０とから成る。
【００３３】
第一の扉部４０は、例えば合成樹脂を用いて矩形板状に形成されており、図１に示すように、その前面において第一の扉部４０が一対の栓刃挿入孔７ａ，７ｂを閉じる位置に位置した際に一対の栓刃挿入孔７ａ，７ｂと対向する部位には、栓刃挿入孔７ａ，７ｂ遮蔽用の突台部４０ａ，４０ｂが一体に突設されている。また、第一の扉部４０の前面における突台部４０ａ，４０ｂ間の部位には、３極プラグＰの電圧極の一方の栓刃を刃受部側へ通すための挿通孔４０ｃが貫設されている。更に、第一の扉部４０の短手方向（すなわち３極プラグＰの挿入方向に交差する方向）の両側面における長手方向中央部には、第一の扉部４０のスライド軸となるとともに回転軸となる略円柱状の突部４０ｄが、互いに上記短手方向において同軸となるように一体に突設されている。
【００３４】
第一のばね部材５０は、弾性を有する長尺の金属板から曲成された板ばねであって、図１に示すように、第一の中枠６０に固定される板状の固定片５０ａと、固定片５０ａの長手方向（長さ方向）両端部から固定片５０ａに対して鋭角方向（本実施形態では約６０度の方向）にそれぞれ延設されて、幅方向にずれた状態で交差する一対の扉部押圧片５０ｂ，５０ｃとを備えている。而して、該扉部押圧片５０ｂ，５０ｃの先端部が第一の扉部４０の後面に弾接することで、第一の扉部４０が栓刃挿入孔側へ付勢される。
【００３５】
第一の中枠６０は、本体部７２の後面開口を閉塞するものであり、例えば合成樹脂を用いて矩形板状に形成されており、図１に示すように、左右両端側には、プラグＰの電圧極の一対の栓刃が挿通される略長方形状の栓刃挿通孔６０ａ，６０ｂが貫設されている。また、第一の中枠６０の前面において、本体部７２のガイドリブと対向する部位には、第一の中枠６０の左方から右方に向かって後方に傾斜する傾斜面を有するガイドリブ６０ｃがそれぞれ突設されている。
【００３６】
第二の開閉手段は、本体部７２及び回動部７１の栓刃挿入孔７ｃから挿入された接地極の栓刃が挿通される略凸状の本体部挿通孔６１ａを有する略円形状の第二の中枠６１と、回動部７１に取り付けられて栓刃挿入孔７ｃを開閉する第二の扉部４１と、第二の扉部４１が栓刃挿入孔７ｃを閉じる位置に移動するように第二の扉部４１を付勢する第二のばね部材５１とから成る。
【００３７】
第二の扉部４１は、図１に示すように、左端縁に略棒状の軸部４１ａが一体に形成されており、該軸部４１ａを回動部７１の栓刃挿入孔７ｃ後方左側に図示しない取付手段によって取り付けることで、軸部４１ａを軸として栓刃挿入孔７ｃを閉じる位置と栓刃挿入孔７ｃを開く位置との間で回動自在に取付固定される（図４（ｂ）参照）。
【００３８】
第二のばね部材５１は、細長い金属線を螺旋状に巻いた捩りコイルばねから成り、図１に示すように、螺旋部分を第二の扉部４１の軸部４１ａに挿通するとともに、一端部を回動部７１の栓刃挿入孔７ｃの後方左側に取り付け、他端部を第二の扉部４１に取り付けることで第二の扉部４１を栓刃挿入孔７ｃを閉じる方向に付勢する。
【００３９】
第二の中枠６１は、図１に示すように、その全周に亘って上方に突出する突壁部６１ｂが一体に形成され、該突壁部６１ｂを回動部７１後面の全周に亘って設けられた嵌合凹部７１ｄに嵌合することで回動部７１に取り付けられる（図４（ｃ）参照）。ここで、突壁部６１ｂと嵌合凹部７１ｄとの間で第二のばね部材５１の前記一端部が挟持されることで、第二のばね部材５１が取付固定される。
【００４０】
押さえ板７０は、略正方形状に形成され、図１に示すように、その略中央部には、回動部７１の径よりも小さく且つ第二の中枠６１と略同一の径を有する略円形状の係止孔７０ａが貫設されている。また、押さえ板７０の左右両側縁の略中央には、前方に向かって略矩形状の規制突起７０ｂがそれぞれ突設されており、該規制突起７０ｂが回動部７１の回動溝７１ａに引っ掛かることによって、回動部７１の回動できる角度を規制して回動部７１が必要以上に回動するのを防いでいる。
【００４１】
上記部材から成るプラグ差込部Ｕの組立方法について説明する。まず、第一のばね部材５０の固定片５０ａを第一の中枠６０に取付固定し、第一の扉部４０を本体部７２内部に収納した後に第一の中枠６０を図示しない取付手段によって本体部７２の開口を塞ぐように本体部７２内部に取り付けることで、第一の開閉手段を成す各部材が本体部７２に取り付けられる。次に、第二のばね部材５１を第二の扉部４１の軸部４１ａに取り付けた後に回動部７１の栓刃挿入孔７ｃ後方左側に軸部４１ａを取付固定し、その後本体部７２を押さえ板７０の係止孔７０ａに前方から通して回動部７１の回動溝７１ａを規制突起７０ｂに引掛けるとともに、係止孔７０ａの後方から第二の中枠６１を通して、第二の中枠６１の突壁部６１ｂを回動部７１の嵌合凹部７１ｄに嵌合することで第二の中枠６１を回動部７１に取り付ける。而して、回動部７１が押さえ板７０の係止孔７０ａ周縁に回動自在に係止されてプラグ差込部Ｕが完成する。
【００４２】
以下、本実施形態の組立方法について説明する。まず、ボディ１０のピン１０ｇを端子板３の孔部３３ａに嵌合し、その上方から中ボディ１４を、中ボディ１４の孔部１４ｆにボディ１０の長手方向略中央のボス部１０ｃを挿通させた状態でボディ１０に取り付ける。この後に、中ボディ１４の端子板２Ａ用リブ１４ｄ及び端子板２Ｂ用リブと端子板２Ａ，２Ｂの各々の孔部２３ａ，２８ａとを嵌合させることで、中ボディ１４に端子板２Ａ，２Ｂをそれぞれ取り付ける。また、中ボディ１４の隔離壁１４ｅ下面に設けられたリブを端子板３の孔部３３ａに嵌合することで中ボディ１４とボディ１０との間で端子板３が取付固定される。そして、各端子板２Ａ，２ｂ，３のかしめ部２４，２９，３４に電源コード８の芯線８ａ，８ｂ及びアース線をそれぞれかしめ固定するとともに、電源コード８をボディ１０の切欠部１０ｂから外方へ引き出す。このとき、電源コード８にブッシング９を被せるとともに、ブッシング９の凹部９１ａとボディ１０の突部とを嵌合させる。
【００４３】
次に、プラグ差込部Ｕの回動部７１が切欠部１０ａから外方に臨むようにボディ１０の嵌合溝１０ｈにプラグ差込部Ｕの押さえ板７０の下半分を挿入する。残り２つのプラグ差込部Ｕは、カバー１１の窓孔１２ｂ，１２ｃから各プラグ差込部Ｕの回動部７１が外方に臨むようにして各プラグ差込部Ｕの押さえ板７０がカバー１１の固定爪１１ｇとカバー１１の上壁部との間に挟持される。最後に、カバー１１の嵌合溝１１ｈにプラグ差込部Ｕの押さえ板７０の残り上半分を挿入しながらブッシング９の凹部９１ａとカバー１１の突部とを嵌合させ且つカバー１１のねじ孔１１ｄとボディ１０のねじ挿通孔１０ｄとを連通させた状態で、組立ねじＳをカバー１１の各ねじ孔１１ｄに螺合することでボディ１０とカバー１１とが結合される。そして、ボディ１０とカバー１１とを結合した際には、電源コード８がボディ１０のリブ１０ｅとカバー１１のリブ１１ｅとで挟持され、電源コード８の張力止めが為される。また、プラグ差込部Ｕは、図４（ｃ）に示すように、回動部７１の段部１１ｃが窓孔１２ａ〜１２ｃの筐体１内側の周縁部と押さえ板７０との間で挟持されることで、窓孔１２ａ〜１２ｃに取付固定される。
【００４４】
次に、本実施形態のテーブルタップに３極プラグＰを脱着する際のプラグ差込部Ｕの第一の扉部４０、第二の扉部４１の開閉動作、並びに３極プラグＰの抜け止め方法について説明する。尚、以下の動作説明では、３極プラグＰを窓孔１２ｃに設けられたプラグ差込部Ｕに脱着する場合について説明をし、説明の簡略化のために、図２（ａ）の上方をプラグ差込部Ｕの前方とし、図２（ａ）の下方をプラグ差込部Ｕの後方とし、図２（ａ）の左右をプラグ差込部Ｕの左右方向とする。
【００４５】
まず、プラグ差込部ＵにプラグＰを接続していない場合は、第一の扉部４０の突台部４０ａ，４０ｂが栓刃挿入孔７ａ、７ｂの後方に位置するとともに、第二の扉部４１が栓刃挿入孔７ｃを塞いでいるために栓刃挿入孔７ａ〜７ｃが閉じた状態となっている。そして、プラグ差込部ＵにプラグＰを接続する際には、プラグＰの栓刃を栓刃挿入孔７ａ〜７ｃ内に差し入れて第一の扉部４０及び第二の扉部４１を第一のばね部材５０及び第二のばね部材５１の付勢に逆らって押圧すると、第二の扉部４１が軸部４１ａを軸として後方に回動するとともに、第一の扉部４０の突部４０ｄが第一の中枠６０のガイドリブ６０ｃの傾斜面に沿って右後方へと摺動し、挿通孔４０ｃが栓刃挿入孔７ｂの後方に位置するようになる。これにより栓刃挿入孔７ａ，７ｂと、第一の中枠６０の栓刃挿通孔６０ａ，６０ｂとが前後方向で対向するとともに、栓刃挿入孔７ｃと端子板３の刃受部３２とが前後方向で対向するため、３極プラグＰの栓刃を端子板２Ａ，２Ｂ，３の刃受部２２，２７，３２にそれぞれ接触接続することができるようになる。
【００４６】
一方、３極プラグＰの栓刃をプラグ差込部Ｕから引き抜いた際には、第一の扉部４０及び第二の扉部４１には栓刃による押し込み方向の外力がかからないために、第一の扉部４０及び第二の扉部４１は第一のばね部材５０及び第二のばね部材５１によって前方に付勢される。而して、第二の扉部４１が軸部４１ａを軸として前方に回動するとともに、第一の扉部４０の突部４０ｄが本体部７２のガイドリブの傾斜面に沿って左前方へと摺動し、突台部４０ａ，４０ｂが栓刃挿入孔７ａ，７ｂの後方に位置することで栓刃挿入孔７ａ〜７ｃが第一の扉部４０及び第二の扉部４１により遮蔽されることになる。
【００４７】
３極プラグＰの抜け止めを行なう場合には、図３（ａ），（ｂ）に示すように、３極プラグＰの栓刃が刃受部２２，２７，３２に差し込まれた状態で３極プラグＰを時計周りに回動することで、刃受ばね２２ａ，２７ａに設けられた係合突起が３極プラグＰの電圧極の一対の栓刃に各々設けられた透孔と係合して３極プラグＰの抜け止めが為される。この時、３極プラグＰとともに回動部７１も同時に時計周りに回動するので、３極プラグＰと外側パッキン部７３及び分離パッキン部７４との相対的な位置を変えることがない。而して、３極プラグＰと外側パッキン部７３及び分離パッキン部７４とが擦れることないために３極プラグＰを容易に回動することができ、また３極プラグＰと外側パッキン部７３との間に隙間が生じるのを防ぐことができる。
【００４８】
上述のように、３極プラグＰの栓刃をプラグ差込部Ｕの栓刃挿入孔７ａ〜７ｃに差し込んで回動する際に、３極プラグＰの回動に伴って回動部７１及び回動部７１と一体成形された外側パッキン部７３も同時に回動することで３極プラグＰと外側パッキン部７３との相対的な位置関係が変化することがないので、３極プラグＰと外側パッキン部７３との間に隙間が生じるのを防ぐことができ、外側パッキン部７３と３極プラグＰにおける筐体１との対向面との密着を維持することで３極プラグＰの栓刃を水や埃から保護して、トラッキングや短絡等が生じるのを防ぐことができる。また、３極プラグＰを回動する際に３極プラグＰが外側パッキン部７３と擦れることがないので、３極プラグＰと外側パッキン部７３とが擦れることによる外側パッキン部７３の破損を防ぐとともに３極プラグＰを容易に回動することができる。
【００４９】
尚、本実施形態は３極プラグＰを使用する場合だけではなく、２極プラグを使用する場合においても上記と同様の効果を奏することができるのは言うまでもない。
【図面の簡単な説明】
【００５０】
【図１】本発明の実施形態のテーブルタップを示す一部分解斜視図である。
【図２】同上のカバーを背面側から見た斜視図である。
【図３】同上の形状を示す図で、（ａ）は上面図で、（ｂ）は側面図で、（ｃ）は他方向の側面図で、（ｄ）は下面図で、（ｅ）は更に他方向の側面図で、（ｆ）はＡ−Ａ’線断面矢視図である。
【図４】同上のプラグ差込部の取付方法を示す図で、（ａ）は上面図で、（ｂ）はＢ−Ｂ’線断面矢視図で、（ｃ）は（ｂ）の一部拡大図である。
【図５】同上のプラグを差し込んだ状態を示す図で、（ａ）はプラグを回動する前の上面図で、（ｂ）はプラグ回動後の上面図である。
【図６】従来のテーブルタップを示す図で、（ａ）はプラグを回動する前の上面図で、（ｂ）はプラグ回動後の上面図である。
【符号の説明】
【００５１】
１  筐体
２０〜２２，２５〜２７，３０〜３２  刃受部
７ａ，７ｂ，７ｃ  栓刃挿入孔
７１  回動部
７３  外側パッキン部
Ｕ  プラグ差込部
【図１】
2008135233.tif 000003
【図２】
2008135233.tif 000004
【図３】
2008135233.tif 000005
【図４】
2008135233.tif 000006
【図５】
2008135233.tif 000007
【図６】
2008135233.tif 000008